(57)【要約】【課題】眉剃りが確実に行えることは勿論、非常に小型化できて、不使用時には刃先を小型のままで簡単に覆うことができるような眉剃り用カミソリを提供すること。【解決手段】柄１０を、前端に眉剃刃２０が一体化される第１柄１１と、この第１柄１１を回動自在または伸縮自在に支持する第２柄１２とにより構成するとともに、この第２柄１２の後端部または先端部に眉剃刃２０の収納空間を形成したこと。【選択図】図１
2007105077.tif 000002
【特許請求の範囲】
【請求項１】
眉剃刃の刃部が柄の軸方向に対して直交する眉剃り用Ｔ型カミソリであって、
前記柄を、前端に前記眉剃刃が一体化される第１柄と、この第１柄を回動自在または伸縮自在に支持する第２柄とにより構成するとともに、
この第２柄の後端部または先端部に前記眉剃刃の収納空間を形成したことを特徴とする眉剃り用Ｔ型カミソリ。
【発明の詳細な説明】
【技術分野】
【０００１】
本発明は、Ｔ型カミソリに関し、特に、眉を剃るのに適したカミソリに関するものである。
【背景技術】
【０００２】
カミソリは、種々なものが提案されているが、近年では、女性が自らの眉の形を整えるために使用する「眉剃り専用」のカミソリも、特許文献１や特許文献２において提案されてきている。
【特許文献１】特開平０８−０００８４８号公報、要約、代表図
【特許文献２】特開２００２−１６６０７５号公報、要約、代表図
【発明の開示】
【発明が解決しようとする課題】
【０００３】
特許文献１には、「眉をきれいに仕上げることが容易に行える」ようにしることを目的としてなされた「眉用かみそり」が示されており、この眉用かみそりは、図１１に示すように、「眉毛のカット用の刃２に沿って並ぶとともに刃２よりも突出する櫛歯３０を備える。この櫛歯３０は肌に当接する先端を結ぶ線と刃の刃先線とが交差して、刃の刃先から櫛歯の先端までの距離が刃先線に沿って漸次変化している」といった構成を有するものである。
【０００４】
この特許文献１の眉用かみそりは、「眉の上縁や下縁では眉毛の刈り高さを低く、中央では眉毛の刈り高さを高くカットすることができる」という効果を有するものであると考えられるが、この眉用かみそりは、当該特許文献１をよく読むと、あくまでも「電気かみそり」であって、バッグやポーチに入れて持ち運べるような形状にはなっていない。
【０００５】
また、特許文献２には、「剃刀の刃部を眉毛の所望位置に容易に当て、かつ剃刀の刃部を鏡で容易に確認できようにすることで使い勝手のよい眉そり用剃刀を提供する」ことを目的とした「眉そり用剃刀」が示されている。
【０００６】
この特許文献２の眉そり用剃刀は、図１２にも示すように、「眉そり用剃刀１０は、使用者の手で持つための柄部１２が備えられ、この柄部１２の先端にガードボード部２０が設けられることで柄部１２およびガードボード部２０でほぼＴ字形を形成し、ガードボード部２０に刃部２２が取付けられている。また、眉そり用剃刀１０は、柄部１２がグリップ部１４と首部１８とで構成され、この首部１８の首部幅Ｗ１がグリップ部１４より細くなるように形成されるとともに湾曲状に形成されている。さらに、眉そり用剃刀１０は、ガードボード２０のボード幅Ｗ２が眉毛３０と目３４との間隔Ｓ１より狭くなるように設定されている」ものである。
【０００７】
この特許文献２の眉そり用剃刀は、剃刀の刃部を眉毛の所望位置に容易に当てることができ、かつ剃刀の刃部を鏡で容易に確認できるもので使い勝手のよいものであると考えられるが、図１２にも示したように、「使用者の手で持つための柄部１２が備えられ、この柄部１２の先端にガードボード部２０が設けられることで柄部１２およびガードボード部２０でほぼＴ字形を形成し」たものであるため、この眉そり用剃刀も、上記特許文献１と同様に、バッグやポーチに入れて持ち運べるような形状にはなっていない。
【０００８】
女性がこの種の眉剃り用カミソリを使用するのは、自宅の鏡台前においては勿論のこと、勤務先の化粧直しのとき、旅先での化粧のとき等、結構自宅以外でも多いものである。特に、出かけた先で使用しようと思えば、当然バッグやポーチに入る程度の大きさや形である必要があるし、できれば持っていることが目立たないものであって欲しい。
【０００９】
また、カミソリ全般に言えることであるが、使用する際には「刃」は露出していなければならないし、使用しない場合には、安全のため、この刃をカバー等によって覆ったり、カミソリ全体をケースに入れておく必要がある。カバーは、刃先が小さい眉剃り用カミソリでは小さなものとなって無くす可能性が高いし、ケースだと全体がさらに大きくなって持ち運びに不便となる。
【００１０】
すなわち、この種の「眉剃り用カミソリ」には、次のような要望があるのである。
【００１１】
（１）非常に小型化できて、「カワイイ」ものであること
（２）勿論、眉剃りが確実に行えるものであること
（３）不使用時の刃先を小型のままで簡単に覆えるようにできること
そこで、本発明者等は、この種の眉剃り用カミソリについて、上記の要望（１）〜（３）の全てを解決できるようにするにはどうしたらよいか、について種々検討を重ねてきた結果、本発明を完成したのである。
【００１２】
すなわち、本発明の目的とするところは、眉剃りが確実に行えることは勿論、非常に小型化できて、不使用時には刃先を小型のままで簡単に覆うことができるような眉剃り用カミソリを提供することにある。
【課題を解決するための手段】
【００１３】
以上の課題を解決するために、本発明の採った手段は、後述する最良形態の説明中で使用する符号を付して説明すると、
「眉剃刃２０の刃部２１が柄１０の軸方向に対して直交する眉剃り用Ｔ型カミソリ１００であって、
柄１０を、前端に眉剃刃２０が一体化される第１柄１１と、この第１柄１１を回動自在または伸縮自在に支持する第２柄１２とにより構成するとともに、
この第２柄１２の後端部または先端部に眉剃刃２０の収納空間１３を形成したことを特徴とする眉剃り用Ｔ型カミソリ１００」
である。
【００１４】
すなわち、本発明に係る眉剃り用Ｔ型カミソリ１００は、図１１に示した特許文献１のカミソリや、図１２に示した特許文献２のカミソリのように、一体型の「柄」を有するものとは異なって、その柄１０を第１柄１１と第２柄１２とによって構成し、これらの第１柄１１及び第２柄１２を枢軸３０によって回転自在に軸支する（図１及び図５の場合）か、第２柄１２に対して第１柄１１を伸縮自在とした（図１０の場合）ものである。
【００１５】
第１柄１１及び第２柄１２を枢軸３０によって回転自在に軸支した眉剃り用Ｔ型カミソリ１００では、使用時には、図１及び図２、あるいは図５及び図６に示すように展開するのである。また、第２柄１２に対して第１柄１１を伸縮自在とした眉剃り用Ｔ型カミソリ１００では、使用時には図１０の（ａ）に示すように引き出して長くすればよい。
【００１６】
このようにして、第１柄１１を第２柄１２に対して展開または伸ばした眉剃り用Ｔ型カミソリ１００は、これを手に持って鏡に向かい眉を剃る体制に入ると、例えば図１に示すように、眉剃刃２０の刃部２１が、柄１０を構成している第１柄１１の軸心に対して直交状態で位置するとともに、刃部２１の両端部が第１柄１１の両側から見えることになるから、今処理をしたい眉と眉剃刃２０との位置関係が鏡を通して明確に確認できる。
【００１７】
つまり、回転可能にしたにせよ、あるいは伸縮自在としたにせよ、眉剃刃２０が一体化された第１柄１１を第２柄１２に対して折り込むかあるいは収納できるようにしたから、第１柄１１は十分細くできるのであり、眉を剃るときの刃部２１が見易くなるようにしてあるのである。以上の結果、本発明に係る眉剃り用Ｔ型カミソリ１００は、眉剃刃２０による眉剃りが確実に行えるものとなっているのである。
【００１８】
また、この眉剃り用Ｔ型カミソリ１００の不使用時には、図３及び図４、あるいは、図７及び図８に示すように折り畳めば非常にコンパクトなものとなり、ポーチやバッグの中にコンパクトに収納しておくことができるのである。また、第２柄１２に対して第１柄１１を伸縮自在とした眉剃り用Ｔ型カミソリ１００では、不使用時には、第１柄１１を図１０の（ｂ）に示すように第２柄１２内に収納することにより、これもポーチやバッグの中にコンパクトに収納しておくことができるのである。
【００１９】
上記のいずれの場合も、第１柄１１の先端に眉剃刃２０が一体化してあり、この眉剃刃２０は、柄１０の折り畳んだ場合あるいは縮めた場合には、図４、図８及び図１０の（ｂ）に示すように、第２柄１２に形成してあった収納空間１３内に納められるのである。これにより、不使用時には、眉剃刃２０の刃部２１が露出することがないから、従来では必要であった「キャップ」が不要となっているだけでなく、ポーチやバッグの中に入れた眉剃り用Ｔ型カミソリ１００を手探りで取り出す際にも安全なものとなっている。
【００２０】
従って、本発明に係る眉剃り用Ｔ型カミソリ１００は、眉剃りが確実に行えることは勿論、非常に小型化できて、不使用時には刃先を小型のままで簡単に覆うことができるものとなっているのである。
【発明の効果】
【００２１】
以上、説明した通り、本発明に係る眉剃り用Ｔ型カミソリ１００は、
「眉剃刃２０の刃部２１が柄１０の軸方向に対して直交する眉剃り用Ｔ型カミソリ１００であって、
柄１０を、前端に眉剃刃２０が一体化される第１柄１１と、この第１柄１１を回動自在または伸縮自在に支持する第２柄１２とにより構成するとともに、
この第２柄１２の後端部または先端部に眉剃刃２０の収納空間１３を形成したこと」
にその構成上の特徴があり、これにより、
眉剃りが確実に行えることは勿論、非常に小型化できて、不使用時には刃先を小型のままで簡単に覆ことができるような眉剃り用カミソリ１００を提供することができたのである。
【００２２】
すなわち、本発明の眉剃り用Ｔ型カミソリ１００によれば、
（１）非常に小型化できて、「カワイイ」ものとすることができる
（２）勿論、眉剃りが確実に行える
（３）不使用時の眉剃刃２０を小型のままで簡単に覆うことができて、安全なものとすることができる
といった優れた効果を発揮するのである。
【発明を実施するための最良の形態】
【００２３】
次に、本発明に係る眉剃り用Ｔ型カミソリ１００を、図面に示した実施例に従って説明すると、図１〜図４には、実施例１に係る眉剃り用Ｔ型カミソリ１００の最良形態が、また、図５〜図８には、実施例２に係る眉剃り用Ｔ型カミソリ１００の最良形態が、そして、図１０には、実施例３に係る眉剃り用Ｔ型カミソリ１００の最良形態が示してある。
【実施例１】
【００２４】
図１〜図４に示した実施例１に係る眉剃り用Ｔ型カミソリ１００では、眉剃刃２０が一体化された第１柄１１を、枢軸３０を使用することにより第２柄１２に対して回動自在になった柄１０としたものであるが、第２柄１２の後端部（図１では図示下端部）に、図４に示したように、収納空間１３を形成したものである。
【００２５】
この眉剃り用Ｔ型カミソリ１００は、その第１柄１１を第２柄１２に対して展開したときには、図２に示したように、全体が略「Ｓ字状」に湾曲するようにしたものであり、これにより、掌で包み込み易くし、かつ眉を剃るときの力が掛け易くなるようにしたものである。
【００２６】
第２柄１２に形成した収納空間１３は、図４に示したように、第１柄１１全体が収納できるとともに、第１柄１１の先端に一体化した眉剃刃２０の全体が完全に収納できる大きさにしたものである。特に、本実施例では、第１柄１１の枢軸３０に近い部分が内面に擦れる程度に収納空間１３の幅が決めてあるが、そのようにしたのは、収納空間１３内に収納した第１柄１１が不用意に飛び出さないようにするためである。このことは、収納空間１３の枢軸３０とは反対側部分の幅を、眉剃刃２０の両端部が内面に擦れる程度にすることによっても可能であるが、本実施例では、両方の「擦れ」が行えるようにしてある。
【００２７】
勿論、柄１０を構成している第１柄１１を第２柄１２に対して収納したときには、眉剃刃２０は図３に示したように、第２柄１２の収納空間１３内に完全に収納されるため、その刃部２１を「キャップ」等によって覆う必要は全くないものとなっている。
【００２８】
なお、この実施例１の眉剃り用Ｔ型カミソリ１００を構成している第１柄１１の、眉剃刃２０の直下に位置する外面には、図１及び図３に示したように滑り止め１４が形成してあり、この滑り止め１４は、第１柄１１を第２柄１２に対して展開したときは勿論、折り畳んだときも、図３に示したように、第２柄１２に形成した露出凹所１５から露出するようにしてある。そして、この滑り止め１４は、図１の展開時には、第１柄１１を指でつまんで持ったときの眉剃刃２０安定化のための滑り止めを果たし、図３の収納時には、第１柄１１を摘んで引き出し易くするための滑り止めを果たすものである。
【実施例２】
【００２９】
図５〜図８に示した実施例２に係る眉剃り用Ｔ型カミソリ１００では、第１柄１１を第２柄１２に対して展開したときの柄１０の全体が、図５及び図６に示したように、円弧状に湾曲するような形状にしてある以外は、上記実施例１と同様である。このため、この実施例２の、実施例１と共通する部材については、図５〜図８に同一符号を付してその説明は省略することとする。
【００３０】
この実施例２の眉剃り用Ｔ型カミソリ１００において、第１柄１１を第２柄１２に対して折り畳んだときには、図７に示したような状態となるが、この実施例２の露出凹所１５は、図６及び図７に示したように、第２柄１２の一方の側面全体に渡るようにしてある。これにより、折り畳んだ第１柄１１の殆どは第２柄１２から露出することにはなるが、全体が丸っこいものとなるから、ポーチやバッグ内へ滑り込ませ易いものとなっているのである。
【００３１】
また、折り畳んだ第１柄１１は第２柄１２から大きく露出するから、使用するためにこの第１柄１１を引き起こす場合に、第１柄１１の摘みがし易くなっている。勿論、眉剃刃２０の全体が、第２柄１２に形成してある収納空間１３内に収納されることは、上記実施例１の場合と同様である。
【実施例３】
【００３２】
図１０には、本発明の第３実施例に係る眉剃り用Ｔ型カミソリ１００が示してあるが、この眉剃り用Ｔ型カミソリ１００の柄１０は、第１柄１１を第２柄１２に対して伸縮自在としたものであり、枢軸３０を使用しないものである。そして、この柄１０の第２柄１２の先端部（第１柄１１が収納されてくる部分）には、眉剃刃２０全体を収納する収納空間１３が形成してある。
【００３３】
この実施例３の眉剃り用Ｔ型カミソリ１００では、図１０の（ｂ）に示したように、収納空間１３内に収納された眉剃刃２０の一部が、この収納空間１３を構成している第２柄１２から露出するようにしてあり、また、内部には、引き出した第１柄１１を止めるための細い部分が形成してある。つまり、この実施例３の眉剃り用Ｔ型カミソリ１００では、丁度釣り竿のように、第２柄１２から引き出した第１柄１１を止めるための構造が採用されているのであり、そのような構造は、二つ割にした第２柄１２を接着剤や振動溶着によって合わせ接着することにより、簡単に達成できる。
【００３４】
ところで、眉剃刃２０であるが、本最良形態では、図９に示すような形状のものとしてある。すなわち、この眉剃刃２０では、その正面から見た全体形状が「扇状」あるいは「台形形状」となるようにしてあり、これによって「眉の際剃り」を確実に行えるようになっている。眉剃刃２０の正面から見た全体形状を「扇状」あるいは「台形形状」とすれば、その両側の視野を増大させることができるのであり、今剃ろうとしている眉の周辺と刃部２１との位置関係を、鏡を通してよく見えるようにすることができるからである。勿論、「扇」の「要」にあたる部分に第１柄１１の先端が位置する。
【産業上の利用可能性】
【００３５】
以上のような本発明に係る眉剃り用Ｔ型カミソリ１００によれば、全体を非常にコンパクトなものとすることができるのであるから、例えば、陳列スペースの限られているコンビニエンスストア等の店舗において、他の商品の陳列制限を行うことなく陳列することができる。このため、コンビニエンスストア等の店舗において、販売商品の種類を増加させることができることにもなるのである。
【図面の簡単な説明】
【００３６】
【図１】本発明の実施例１に係る眉剃り用Ｔ型カミソリの展開した状態を示す斜視図である。
【図２】同眉剃り用Ｔ型カミソリの側面図である。
【図３】同眉剃り用Ｔ型カミソリを折り畳んだ状態の側面図である、
【図４】折り畳んだ眉剃り用Ｔ型カミソリの底面図である。
【図５】本発明の実施例２に係る眉剃り用Ｔ型カミソリの展開した状態を示す斜視図である。
【図６】同眉剃り用Ｔ型カミソリの側面図である。
【図７】同眉剃り用Ｔ型カミソリを折り畳んだ状態の側面図である、
【図８】折り畳んだ眉剃り用Ｔ型カミソリの底面図である。
【図９】本発明に係る眉剃り用Ｔ型カミソリにおいて使用されている眉剃刃２０と刃部２１とを示す部分拡大正面図である。
【図１０】本発明の実施例３に係る眉剃り用Ｔ型カミソリを示すもので、（ａ）は第１柄を第２柄から引き出したときの斜視図、（ｂ）は第１柄を第２柄内に収納したときの斜視図である。
【図１１】従来技術を示すもので、（ａ）は分解斜視図、（ｂ）は部分断面図である。
【図１２】他の従来技術を示す斜視図である。
【符号の説明】
【００３７】
１００    眉剃り用Ｔ型カミソリ
１０    柄
１１    第１柄
１２    第２柄
１３    収納空間
１４    滑り止め
１５    露出凹所
２０    眉剃刃
２１    刃部
３０    枢軸
【図１】
2007105077.tif 000003
【図２】
2007105077.tif 000004
【図３】
2007105077.tif 000005
【図４】
2007105077.tif 000006
【図５】
2007105077.tif 000007
【図６】
2007105077.tif 000008
【図７】
2007105077.tif 000009
【図８】
2007105077.tif 000010
【図９】
2007105077.tif 000011
【図１０】
2007105077.tif 000012
【図１１】
2007105077.tif 000013
【図１２】
2007105077.tif 000014